【事件の表示】
　特許第５７６１５４２号発明「照明器具」の特許異議申立事件について、次のとおり決定する。
【結　論】
　特許第５７６１５４２号の明細書及び特許請求の範囲を訂正請求書に添付された訂正明細書及び特許請求の範囲のとおり、訂正後の請求項〔１、２〕について訂正することを認める。
　特許第５７６１５４２号の請求項１及び２に係る特許を維持する。
【理　由】
第１　手続の経緯
　特許第５７６１５４２号の請求項１及び２に係る特許についての出願は、平成２３年１月１１日に出願した特願２０１１−２９３５号の一部を平成２６年５月２９日に新たな特許出願としたものであって、平成２７年６月１９日にその特許権の設定登録がされ、その後、その特許について、特許異議申立人武田英莉、佐藤英晃、及び、西村太一のそれぞれにより特許異議の申立てがされ、平成２８年４月２６日付けで取消理由が通知され、その指定期間内である平成２８年７月８日に意見書の提出及び訂正の請求があり、その訂正の請求に対して特許異議申立人武田英莉、佐藤英晃、及び、西村太一のそれぞれから平成２８年８月２３日付け、同２２日付け、及び、同２４日付けで意見書が提出がされたものである。
第２　訂正の適否についての判断
１．訂正の内容
　平成２８年７月８日の訂正の請求（以下、「本件訂正請求」という。）による訂正の内容は以下の（１）、（２）及び（３）のとおりである。
（１）訂正事項１
　特許請求の範囲の請求項１の記載を、「器具取付面に設置された配線器具に取り付けられる取付部を有する器具本体と；前記取付部の周囲
に
拡散性を有する乳白色の
（２）訂正事項２
　特許請求の範囲の請求項２の記載を、「前記拡散部材に対して所定の距離を有するように前記器具本体に着脱可能に取付けられる
前記
（３）訂正事項３ 
　願書に添付した明細書の発明の詳細な説明の段落【０００８】の記載を、「本発明の実施形態による照明器具は、器具取付面に設置された配線器具に取り付けられる取付部を有する器具本体と；、前記取付部の周囲
に
拡散性を有する乳白色の
２．訂正の目的の適否、一群の請求項、新規事項の有無、及び特許請求の範囲の拡張・変更の存否
（１）訂正事項１
　訂正事項１は、請求項１の「周囲配設された」について、「周囲
に
　さらに、訂正事項１は、請求項１の「前記基板及び前記複数の発光素子を含めた前記器具本体の前面側を覆うように前記器具本体に取付けられたカバー部材」について、「前記基板及び前記複数の発光素子を含めた前記器具本体の前面側を覆うように前記器具本体に取付けられた
拡散性を有する乳白色の
　また、願書に添付した明細書の発明の詳細な説明の段落【００３１】には、「上記のように構成された光源部２は、図４及び図５に代表して示すように、基板２１が取付部６の周囲に位置して、発光素子２２の実装面が前面側、すなわち、下方の照射方向に向けられて配設されている。」との記載があり、段落【００３９】には、「カバー部材７は、アクリル樹脂等の透光性を有し、乳白色を呈する拡散性を備えた材料から略円形状に形成されており、中央部には不透光性の円形状の化粧カバー７１が取付けられている。」との記載がある。
　そうすると、訂正事項１は、願書に添付した明細書、特許請求の範囲又は図面に記載された事項の範囲内においてするものと認められ、新規事項の追加に該当せず、また、実質上特許請求の範囲を拡張し、又は変更するものではない。 
（２）訂正事項２
　訂正事項２は、請求項２の「カバー部材」について、請求項１の「
前記
　また、願書に添付した明細書の発明の詳細な説明の段落【００４０】には、「そして、カバー部材７は、光源部２を含めた本体１の前面側を覆うように本体１の外周縁部に着脱可能に取付けられるようになっている。」との記載がある。
　そうすると、訂正事項２は、願書に添付した明細書、特許請求の範囲又は図面に記載された事項の範囲内においてするものと認められ、新規事項の追加に該当せず、また、実質上特許請求の範囲を拡張し、又は変更するものではない。
（３）訂正事項３
　訂正事項３は、願書に添付した明細書の発明の詳細な説明の段落【０００８】に記載されていた【課題を解決するための手段】を、訂正事項１により訂正された請求項１の記載に整合するように訂正されたものであり、明瞭でない記載の釈明を目的としたものといえる。
　そして、訂正事項３は、訂正事項１と同様に、願書に添付した明細書、特許請求の範囲又は図面に記載された事項の範囲内においてするものであり、新規事項の追加に該当せず、また、実質上特許請求の範囲を拡張し、又は変更するものではない。
（４）一群の請求項に対する請求
　訂正前の請求項１の記載を請求項２は引用する関係にあるから、上記訂正事項１〜３よりなる本件訂正請求は、一群の請求項（請求項１、２）に対して請求されたものである。
３．小括
　以上のとおりであるから、本件訂正請求による訂正（訂正事項１〜３）は、特許法第１２０条の５第２項第１、２及び３号に規定された事項を目的とするものであり、かつ、同条第４項、及び同条第９項において準用する同法第１２６条第４項から第６項までの規定に適合するので、訂正後の請求項〔１、２〕について訂正を認める。
第３　特許異議の申立てについて
１．本件発明 
　本件訂正請求により訂正された請求項１及び２に係る発明（以下「本件発明１及び２」という。）は、その特許請求の範囲の請求項１及び２に記載された次の事項により特定されるとおりのものである。 
「【請求項１】
　器具取付面に設置された配線器具に取り付けられる取付部を有する器具本体と；
　前記取付部の周囲に配設された点灯装置と；
　前記器具本体から照射方向に向かって突出した前面壁および前記前面壁には取付部に対応する開口部が形成され、前記点灯装置を覆うように前記本体に取付けられる点灯装置カバーと；
　実装面が前面側に向けられて前記点灯装置カバーの前記前面壁よりも器具取付面側であるとともに前記点灯装置カバーの外側に配設された基板と；
　この基板上に複数の環状配列を形成して前記基板に実装された複数の発光素子と；
　前記発光素子が実装された環状配列に沿って連続する突条部を有し、前記基板の実装面を覆う拡散部材と；
　前記基板及び前記複数の発光素子を含めた前記器具本体の前面側を覆うように前記器具本体に取付けられた拡散性を有する乳白色のカバー部材と；
　を具備することを特徴とする照明器具。
　　【請求項２】
　前記拡散部材に対して所定の距離を有するように前記器具本体に着脱可能に取付けられる前記カバー部材を有していることを特徴とする請求項１に記載の照明器具。」 
２．取消理由の概要 
　訂正前の請求項１及び２に係る特許に対して平成２８年４月２６日付けで特許権者に通知した取消理由の要旨は、次のとおりである。
　本件特許の請求項１及び２に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができないものであり、その発明に係る特許は取り消されるべきものである。
　なお、下記の刊行物は、武田英莉（以下、「特許異議申立人１」という。）による特許異議申立書（以下、「特許異議申立書１」という。）の甲第１〜７号証（以下、「甲１〜７」という。）である
 　　　　　　　　　　　　　　　　　記
甲１：特開２００２−２７００２６号公報 
甲２：特開２００７−２７０７２号公報 
甲３：特開２００１−２３６８１７号公報  
甲４：特開２００８−３００２０３号公報  
甲５：特開２００８−９８１１６号公報  
甲６：特開２００２−３６７４０６号公報  
甲７：特開２００９−２７２２６３号公報 
　請求項１及び２に係る発明は、甲１発明、甲２〜７に記載された技術事項及び周知技術に基いて当業者が容易に発明をすることができたものである。
３．甲号証の記載
（１）甲１について
ア　甲１に記載された事項
　甲１には、図１〜３とともに、以下の事項が記載されている。
（１ａ）
「【０００６】図示の実施形態は、天井１に対して固定され外周に係止部２が形成された引掛ローゼット３と、中央に前記引掛ローゼット３を通す孔４が設けられるとともに、前記孔４内に弾性付勢されて突出され前記係止部２に係止される被係止部５が設けられ、さらにこの被係止部５の外側位置には光源部６が設けられ、前記引掛ローゼット３の下面に接続されるプラグ７（及びコード７ａ）を介して受電される本体８と、前記プラグ７の下面及び前記被係止部５を外向きに変位させるために前記本体８の下面に露出された係止解除操作部９の下面を着脱可能に覆うカバー１０とを備えた照明器具である。また、光源部６には多数の白色の発光ダイオード１１…を備えている。・・・」
（１ｂ）
「【０００７】さらに詳述すれば、被係止部５はばね１２で孔４に向けて弾性付勢されている。カバー１０は可撓性樹脂で成形されると好ましく不透明でも半透明でもよいが、光源部６の下面を覆うことはないように配備されて、下面照度の向上に寄与している。カバー１０はその上端の爪１３が本体８の下面の図示されない係止孔に挿入されて係止される例を示しているが、他の取付構造でももちろんよい。発光ダイオード１１…を搭載した基板１４には整流器や電流制限抵抗などの点灯回路部品も搭載してもよいが、そのような点灯回路部品はプラグ７内に設けてもよい。また、光源部６の下面には適切な配光をもたらすための透光レンズ１５が設けられている。」
（１ｃ）
「【０００９】以上のように、カバー１０は要所のみを効果的にカバーして外観を向上し、下面照度を低下させることがない。」
イ　甲１に記載された発明
　甲１には、「点灯回路部品はプラグ７内に設けてもよい」と記載されているところ（上記ア（１ｂ）参照）、図１〜２を併せ見ると、「カバー１０」は、プラグ７とともに当該「点灯回路部品」を覆うようになっているといえること、並びに、上記ア（１ａ）〜（１ｃ）及び図１〜３の記載からみて、本件発明１の記載に則ると、甲１には、次の発明（以下、「甲１発明」という。）が記載されていると認められる。
〔甲１発明〕
「天井に配置された引掛ローゼット３に取り付けられる被係止部５を有する本体８と；
　点灯回路部品と；
　前記本体８から照射方向に向かって突出した前面部が形成され、前記点灯回路部品を覆うように前記本体８に取付けられるカバー１０と；
　実装面が前面側に向けられて前記カバー１０の前記前面部よりも天井１側であるとともに前記カバー１０の外側に配設された基板１４と；
　この基板１４上に複数の環状配列を形成して前記基板１４に実装された複数の発光ダイオード１１と； 
　前記基板１４の実装面を覆う透光レンズ１５と；
　を具備する照明器具。」
（２）甲２について 
　甲２には、図１、４及び５とともに、以下の事項が記載されている。
（２ａ）
「【０００９】
  金属板１および金属側板２は鉄またはアルミニウムなどからなり、その外面には放熱に支障がない程度の白色塗装を施して光反射性を高めると好ましい。ＬＥＤユニット４には、図示されない１個または複数個の高輝度・高効率のＬＥＤチップおよび支持基板などが内蔵される。ＬＥＤユニット４の表面側には透明の合成樹脂製の外殻、または細かい凹凸形状やレンズ形状などを施して光散乱性や光指向性などを増した透明の合成樹脂製の外殻を備え、背面側には前記金属ベース部３が固定されている。」
（２ｂ）
「【００１２】
  ・・・金属板１および金属側板２は一体的に形成されて照明器具の本体を構成する反射板を成し、この反射板は照明器具の本体を構成する第二金属板６の下面側にビスその他の適宜手段で固定されている。前記反射板すなわち金属板１の略中央には孔７が形成される。第二金属板６は金属板１よりも大径を成し、その略中央には孔８が形成されるとともに孔８の近辺は他の部分よりも低く形成される段差状を成している。点灯制御回路５は第二金属板６側に適宜手段で固定されているのが一般的に好ましい。また、第二金属板６の外周付近には図示されないグローブ支持具などを設けており、これにより合成樹脂製などによる半透光性のグローブ９が前記グローブ支持具に対して着脱可能に支持されている。」
（２ｃ）
「【００１３】
  ・・・天井Ｃには引掛ローゼット１０が固定されており、引掛ローゼット１０に対して本照明器具が取り付けられている。引掛ローゼット１０はその下端に鍔状の係止部１１があるタイプを例示している。第二金属板６の中央付近の前記段差状部下面には被取付具１２が固定され、その略逆Ｌ状の被係止部１３がバネ１４により中心孔方向に付勢されて、被係止部１３の先端下面が係止部１１の上面に係止されることにより、本照明器具が天井Ｃにいわゆる直付け状態で取り付けられている。」
（３）甲３について
　甲３には、図１とともに、以下の事項が記載されている。
（３ａ）
「【０００６】図１〜３の実施形態は、天井１に固定された引掛ローゼット２に接続される引掛プラグ３を金属製または合成樹脂製の天板４の中央に固定し、引掛プラグ３において天板４の下面に位置する部分の外周部に高周波点灯回路などを構成する回路部品を搭載した点灯回路基板５を配置し、点灯回路基板５の下面を天板４に固定した反射板６で覆い、反射板６の下面にランプ７を設けた照明器具である。」
（３ｂ）
「【０００７】・・・天板４の下面にはグローブ１１が適宜手段で取り付けられる。・・・」
（４）甲４について
　甲４には、図１（ａ）（ｂ）とともに、以下の事項が記載されている。
（４ａ）
「【００２９】
　器具本体１０は、鉄板等の金属に白色塗装を施した一辺が約５００ｍｍの正方形をなすシャーシーとして構成され、シャーシーの略中央部には天井等の器具取付面Ａに設置された引掛シーリング１１に着脱可能に設置されるアダプタ１２を設ける。さらに、アダプタ１２の周囲の空間部に光源体２０を点灯するための点灯装置１３を取り付け、対向する辺の外縁部１４、１５に光源体２０を設置するための設置部１６、１７を設ける。図中１８は、リモコン受光部である。」
（４ｂ）
「【００３２】
　反射体４０は、鉄板等の金属に白色塗装を施した平板状をなし、両端部を２本のそれぞれの光源体２０における各ＬＥＤ２１に対向し、中間部分から器具本体の略中央部に向かって連続的に徐々に傾斜させた傾斜部４１を形成する。反射体は、器具本体１０を構成するシャーシーの略中央部に、ネジ若しくはスポット溶接等の手段で固定される。」
（４ｃ）
「【００３３】
　グローブ５０は、透光性を有する乳白色の半透明な合成樹脂で構成し、浅い皿状の球面状をなす発光部５１と、器具本体１０の外縁部１４、１５に対応する部分に外周部を残して上面を開口することにより形成した開口部５２とを一体に形成し、器具本体の下方から被せることにより、光源体２０および反射体４０を覆うように器具本体の下面全体を囲むようにして取り付けられる。グローブ５０は、その肉厚を器具本体１０の外縁部１４、１５に対応するグローブの外周部から中央部にいくに従い薄くなるようにして成形し、外縁部から中央部にいくに従い透過率が高くなるように構成する。なお、グローブ５０は公知の凹凸の係合手段や取付金具等の手段で器具本体の外縁部に着脱可能に取り付けられる。」
（５）甲５について
　甲５には、図１及び２とともに、以下の事項が記載されている。
（５ａ）
「【００２４】
・・・図示していないが、照明器具１は、例えば部屋などの建築物の天井面に設置され例えば商用電源などの外部電源と接続する例えば引掛ローゼットや引掛シーリングなどの配線器具に係合する例えば引掛ローゼットアダプタや引掛シーリングアダプタなどの取付アダプタと、例えば細長い金属板などで形成され放電灯２を支持するランプ支持具と、放電灯２を収納して器具本体３の上面側全体を覆い被せるようにして取り付けられるグローブとをも備える。グローブは、例えばアクリル樹脂など乳白色の透過拡散性を有する樹脂材料で形成されたものである。・・・」
（５ｂ）
「【００２７】
　器具本体３は例えば金属板などで円板状に形成されたものであり、円状の底面部３０と、底面部３０の外縁から上方に延設された段差部３１と、段差部３１の外縁から外方に延設された円環部３２と、円環部３２の外縁から上方に延設された筒状の端部３３とを一体に備えている。底面部３０の中央には、建築物の配線器具（図示せず）への取付用に設けられた長円状（小判状）の取付部３４が設けられている。この取付部３４には、円状の開口３５が中央に形成され、この開口３５の周囲に１対の孔部３６，３６（図２参照）が形成されている。円環部３２には、グローブに設けられた突出部（図示せず）と係合するための３つの係合部３７，３７，３７（図２参照）が同一円上に等間隔で設けられている。上記それぞれの係合部３７がグローブの突出部と係合することによって、グローブが器具本体３に取り付けられる。また、底面部３０の上面には、放電灯２を装着するソケット３８が設けられ、器具本体３はソケット３８を通じて放電灯２を上面側で保持する。このソケット３８は電線（図示せず）を介して点灯回路基板５の点灯回路と電気的に接続する。」
（５ｃ）
「【００２８】
　反射板４は例えば金属板などで形成されたものであり、円錐台状の主要部４０と、主要部４０の外縁から外方に延設された円環部４１とを一体に備えている。主要部４０には、長円状（小判状）の開口４２が中央に形成され、開口４２の短手方向の外方に、保護ケース８が嵌め込まれる長方形状の開口４３が形成され、さらに外縁に、ソケット３８が挿入される開口４４が形成されている。つまり、開口４３は、器具本体３の中心とソケット３８との間に形成されていることになる。」
（６）甲６について
　甲６には、図１及び２とともに、以下の事項が記載されている。
（６ａ）
「【００２１】図３は、リング状拡散板３を示す平面図、側面図および断面図である。本例のリング状拡散板３は、円筒断面の管を半割り状態にした断面形状をしている。すなわち、ほぼ半円形の断面形状をしている。この形状のリング状拡散板３は、例えば、半透明の乳白色のアクリル平板を真空成形することにより得ることができ、この場合には、約１００℃の耐熱性が得られる。また、リング状拡散板３の湾曲内周面３３には表面処理を施して粗面として拡散効果を高めることが望ましい。」
（６ｂ）
「【００２２】次に、図４はリング状ＬＥＤ基板５に実装されたＬＥＤ６の配列状態を示す説明図である。この図に示すように、多数個のＬＥＤ６が円周方向に向けて同心円状に一定の間隔で密な状態で３列形成されている。図において最も外側の列は回路抵抗８の列である。このようにＬＥＤ６を配列することにより、リング状拡散板３のリング状内周面３３の全体にＬＥＤからの出射光を均一に照射できるので、部分的に暗部が発生することがない。」
（７）甲７について
　甲７には、図１及び２とともに、以下の事項が記載されている。
（７ａ）
「【００１４】
　図１は、本発明にかかるＬＥＤランプの一例を平面図で示しており、図２には図１のII-II線に沿う断面図を示している。図１および図２に示すＬＥＤランプＡは、環状基板１０、放熱部材２０、ＬＥＤモジュール３０、口金４０、および、拡散板５０を備えている。なお、図１では、拡散板５０を省略している。このＬＥＤランプＡは、たとえば蛍光灯の代替として、一般用蛍光灯照明器具に取り付けられて用いられる。」
（７ｂ）
「【００１５】
　環状基板１０は、４個の同形の湾曲基板１１を周方向に沿って並べて組み合わせて環状としたものである。湾曲基板１１は、円弧状に形成されている。湾曲基板１１の周方向における一方の端部を通る直線Ｌ１と、他方の端部を通る直線Ｌ２とが成す角ｔは、たとえば８５．８°となっている。湾曲基板１１はアルミ基板であり、表面に積層された絶縁層１２と、絶縁層１２の上に積層された配線パターン１３，１４とを備えている。」
（７ｃ）
「【００２１】
　拡散板５０は、光拡散材料によって平面視円環状に形成されており、ＬＥＤモジュール３０から出射された光を拡散させるように設置されている。本実施形態では、拡散板５０の断面は半円環状となっている。」
　なお、 特許異議申立人１は、平成２８年８月２３日付けの意見書に添付して参考資料１〜８を提出している。
４．判断
（１）取消理由通知に記載した取消理由（特許法第２９条第２項）について
ア　対比
　本件発明１と甲１発明とを対比する。
　甲１発明の「引掛ローゼット３」、「被係止部５」、「本体８」、「点灯回路部品」、「カバー１０」、「前面部よりも天井１側」、「基板１４」及び「発光ダイオード１１」は、それぞれ、本件発明１の「配線器具」、「取付部」、「器具本体」、「点灯装置」、「点灯装置カバー」、「前面部よりも器具取付面側」、「基板」及び「発光素子」に相当する。
　甲１発明の「透光レンズ１５」は、「適切な配光をもたらすための透光レンズ１５」であり、甲１発明の「前記基板１４の実装面を覆う透光レンズ１５」と、本件発明１の「前記発光素子が実装された環状配列に沿って連続する突条部を有し、前記基板の実装面を覆う拡散部材」とは、「前記基板の実装面を覆う部材」の限りで共通する。
　以上から、本件発明１と甲１発明との一致点及び相違点は、以下のとおりである。
＜一致点＞
「器具取付面に設置された配線器具に取り付けられる取付部を有する器具本体と；
　点灯装置と；
前記器具本体から照射方向に向かって突出した前面壁が形成され、前記点灯装置を覆うように前記本体に取付けられる点灯装置カバーと；
　実装面が前面側に向けられて前記点灯装置カバーの前記前面壁よりも器具取付面側であるとともに前記点灯装置カバーの外側に配設された基板と；
　この基板上に複数の環状配列を形成して前記基板に実装された複数の発光素子と；
　前記基板の実装面を覆う部材と；
　を具備する照明器具。」
＜相違点１＞
　「点灯装置」に関して、本件発明１では、「前記取付部の周囲に配設された点灯装置」であるのに対して、甲１発明では、そのように特定されていない点。  
＜相違点２＞
　「点灯装置カバー」の「前面壁」に関して、本件発明１では、「前記前面壁には取付部に対応する開口部が形成され」ているのに対して、甲１発明では、そのように特定されていない点。
＜相違点３＞
　本件発明１は、「前記発光素子が実装された環状配列に沿って連続する突条部を有し、前記基板の実装面を覆う拡散部材と；前記基板及び前記複数の発光素子を含めた前記器具本体の前面側を覆うように前記器具本体に取付けられた拡散性を有する乳白色のカバー部材と；を具備する」のに対して、甲１発明は、「前記基板１４の実装面を覆う透光レンズ１５」を具備する点。
イ　判断
　以下、事案に鑑み、相違点３から検討する。
＜相違点３について＞
（ア）
　「発光素子が実装された環状配列に沿って連続する突条部を有し、基板の実装面を覆う拡散部材（以下、「技術事項Ａ」という。）と；前記基板及び前記複数の発光素子を含めた器具本体の前面側を覆うように前記器具本体に取付けられた拡散性を有する乳白色のカバー部材（以下、「技術事項Ｂ」という。）と；を具備する」という上記相違点３に係る本件発明１の構成は、甲２〜７には記載されていないから（甲２の「透光性のグローブ９」、甲３の「グローブ１１」、甲４の「レンズ体３０」と「グローブ５０」、甲５の「グローブ（上記３．（５）（５ａ）参照）」、甲６の「リング状拡散板３」、及び、甲７の「拡散板５０」は、いずれも、上記相違点３に係る本件発明１の構成を備えているとはいえないから）、甲２〜７に記載された技術事項を甲１発明に適用することで、甲１発明において、上記相違点３に係る本件発明１の構成に到ることは、当業者が容易になし得えたとはいえない。
（イ）
　また、甲１において、「透光レンズ１５」は、「適切な配光をもたらすための透光レンズ１５」であり（段落【０００７】）、「カバー１０は要所のみを効果的にカバーして外観を向上し、下面照度を低下させることがない」こと（段落【０００８】）から、既に適切な配光となっており外観も向上している甲１発明において、あえて配光の状態を変更し照度を低下させるように、さらに拡散性を有するカバーを設けることは、通常想定し得ないといえる。
　そうすると、甲１発明において、さらに拡散性を有するカバーを設ける動機付けはないから、仮に、上記技術事項Ａ及び上記技術事項Ｂの両方を満たすことが知られており（特許異議申立人１が意見書に添付して提出した参考資料６（特開２０１０−３６８３号公報）を参照）、上記技術事項Ａ及び上記技術事項Ｂが、それぞれ周知技術であったとしても、これらの技術事項を甲１に発明に適用して、甲１発明において、さらに拡散性を有するカバーを設けて、上記相違点３に係る本件発明１の構成を想到することは、当業者であっても容易になし得たとはいえない。
（ウ）
　上記（ア）及び（イ）のとおりであるから、他の相違点について検討するまでもなく、本件発明１は、甲１発明及び甲２〜７に記載の技術事項に基いて当業者が容易に発明をすることができたものであるとはいえないし、また、本件発明１は、甲１発明、甲２〜７に記載の技術事項及び周知技術に基いて当業者が容易に発明をすることができたものであるとはいえない。 
ウ　作用効果について  
　本件発明１が奏する作用効果（発明の詳細な説明の段落【００４７】の「発光素子２２から出射された光は、複数の発光素子２２を連続して覆う拡散部材３によって半径方向へ拡散されるとともに、前面側へ放射される。前面側へ放射された光は、カバー部材７を透過して外方へ照射される。したがって、照射光の均斉度の向上を図ることができるとともに、各発光素子２２の輝度による粒々感を抑制することが可能となる。」等の作用効果）は、甲１発明、甲２〜７に記載の技術事項及び周知技術から、当業者が予測し得る範囲内のものであるとはいえず、格別のものといえる。 
エ　特許異議申立人１の意見について
　特許異議申立人１は、平成２８年８月２３日付けの意見書において、「『カバー部材が拡散性を備えた乳白色である点』・・・は、例えば、甲第４号証・・・、甲第５号証・・・、甲第６号証・・・、及び参考資料１〜６、８に記載されたとおり、当該技術分野においては技術常識である。」（２４頁２４〜２７行）、「したがって、甲第２号証、甲第５号証に記載された拡散部材に関する技術常識手段を考慮すると、甲１発明に常套手段（甲２〜５）、周知技術を付加することに阻害要因はない。」（２７頁３〜５行）及び「請求人の『本願特徴である・・・（ウ）（技術事項Ａと）と（エ）（技術事項Ｂ）を組み合わせることに関する動機付けとなる開示も見当たらない』旨の主張は、・・・甲第２号証、甲第５号証及び参考資料６〜８に記載されているとおり、当該技術分野においては、技術常識であるから、その主張は失当である」旨（２８頁８〜１６行）などと主張している。
　しかしながら、上記イ＜相違点３について＞（ア）及び（イ）のとおりであるから、当該主張は採用できない。
（２）取消理由についてのまとめ
ア
　上記（１）イ（ア）及び（ウ）並びに上記（１）ウ及びエのとおりであるから、本件発明１は、甲１発明及び甲２〜７に記載の技術事項に基いて当業者が容易に発明をすることができたものであるとはいえない。
　本件発明１を引用する本件発明２についてもこれと同様であるといえる。
　したがって、本件発明１及び２は、甲１発明及び甲２〜７に記載の技術事項に基いて当業者が容易に発明をすることができたものであるとはいえない。
イ
　上記（１）イ（イ）及び（ウ）並びに上記（１）ウ及びエのとおりであるから、本件発明１は、甲１発明、甲２〜７に記載の技術事項及び周知技術に基いて当業者が容易に発明をすることができたものであるとはいえない。
　本件発明１を引用する本件発明２についてもこれと同様であるといえる。
　したがって、本件発明１及び２は、甲１発明、甲２〜７に記載の技術事項及び周知技術に基いて当業者が容易に発明をすることができたものであるとはいえない。
（３）特許異議申立書に記載した特許異議申立理由について
（３−１）
　特許異議申立人佐藤英晃（以下、「特許異議申立人２」という。）の特許異議申立書（以下、「特許異議申立書２」という。）に記載した特許異議申立理由（特許法第２９条第２項）について
　特許異議申立人２は、特許異議申立書２に添付して、刊行物である甲第１の１〜８号証（以下、「甲１Ａの１〜甲８Ａ」という。）を提出し、本件特許発明１及び２は、甲１Ａの１〜甲８Ａに記載された発明に基いて、当業者が容易に発明をすることができたものである旨主張している。
ア　甲号証について
甲１Ａの１：台湾実用新案公告第３９４４１８号公報
甲１Ａの２：台湾実用新案公告第３９４４１８号公報の和訳
甲２Ａの１：台湾実用新案公告第３６６６３９号公報
甲２Ａの２：台湾実用新案公告第３６６６３９号公報の引用箇所の和訳
甲２Ａの３：登録実用新案第３１５４７６１号公報
甲３Ａ：特開２００２−２７００２６号公報  
甲４Ａ：特開２００８−１２４００８号公報  
甲５Ａ：特開２００４−１５８４１３号公報  
甲６Ａ：特開２００３−２０３５０５号公報  
甲７Ａ：特開２００２−３６７４０６号公報 
甲８Ａ：登録実用新案第３１６０８０８号公報
　甲１Ａの１（台湾実用新案公告第３９４４１８号公報）の第一〜四図などを参照し、本件発明１の記載に則ると、甲１Ａの１には、次の発明（以下、「甲１Ａ発明」という。）が記載されていると認められる。
〔甲１Ａ発明〕
「灯ホルダ１０と；
　電源制御回路基板４０と；
　前記電源制御回路基板４０を覆うように前記灯ホルダ１０に取付けられる反射カバー５０と；
　実装面が前面側に向けられ、前記反射カバー５０の外側に配設された基板３１と；
　この基板３１上に複数の環状配列を形成して前記基板３１に実装された複数のＬＥＤ３１１と；
　前記ＬＥＤ３１１が実装された環状配列に沿って突条部を有し、前記基板３１の実装面を覆う透光材質からなるカバー３２と；
　灯ホルダ１０の上を覆い、反射カバー５０の管体５２が貫設され、当該管体５２に蓋部５３を締め付けて固定される、灯のかさ２０と；
　を具備するＬＥＤ照明灯。」
イ　対比
　本件発明１と甲１Ａ発明とを対比すると、甲１Ａ発明の「灯ホルダ１０」、「電源制御回路基板４０」、「反射カバー５０」、「基板３１」、「ＬＥＤ３１１」及び「ＬＥＤ照明灯」は、それぞれ、本件発明１の「器具本体」「点灯装置」、「点灯装置カバー」、「基板」、「発光素子」及び「照明器具」に相当し、一致点及び相違点は、以下のとおりである。
＜一致点＞
「器具本体と；
　点灯装置と；
　前記点灯装置を覆うように前記本体に取付けられる点灯装置カバーと；
　実装面が前面側に向けられ、前記点灯装置カバーの外側に配設された基板と；
　この基板上に複数の環状配列を形成して前記基板に実装された複数の発光素子と；
　を具備する照明器具。」
＜相違点１＞
　「器具本体」が、本件発明１は、「器具取付面に設置された配線器具に取り付けられる取付部を有する」のに対して、甲１Ａ発明では、そのように特定されていない点。
＜相違点２＞
　「点灯装置」が、本件発明１は、「前記取付部の周囲に配設された」のに対して、甲１Ａ発明では、そのように特定されていない点。
＜相違点３＞
　「点灯装置を覆うように本体に取付けられる点灯装置カバー」が、本件発明１は、「前記器具本体から照射方向に向かって突出した前面壁および前記前面壁には取付部に対応する開口部が形成され」ているのに対して、甲１Ａ発明では、そのように特定されていない点。
＜相違点４＞
　「実装面が前面側に向けられ、点灯装置カバーの外側に配設された基板」が、本件発明１は、「前記点灯装置カバーの前記前面壁よりも器具取付面側である」のに対して、甲１Ａ発明では、そのように特定されていない点。
＜相違点５＞
　本件発明１は、「前記発光素子が実装された環状配列に沿って連続する突条部を有し、前記基板の実装面を覆う拡散部材と；前記基板及び前記複数の発光素子を含めた前記器具本体の前面側を覆うように前記器具本体に取付けられた拡散性を有する乳白色のカバー部材と；を具備する」のに対して、甲１Ａ発明は、「ＬＥＤ３１１が実装された環状配列に沿って突条部を有し、前記基板３１の実装面を覆う透光材質からなるカバー３２と；灯ホルダ１０の上を覆い、反射カバー５０の管体５２が貫設され、当該管体５２に蓋部５３を締め付けて固定される、灯のかさ２０と；を具備する」点。
ウ　判断
　以下、事案に鑑み、相違点３から検討する。
（ア）
　甲１Ａの１の第一及び二図を参照し、甲１Ａ発明において、光反射カバー５０（点灯装置カバー）の前面壁に取付部に対応する開口部を形成しようとすると、少なくとも、灯のかさ２０を固定している蓋部５３を取り除く必要があると考えられるが、蓋部５３を取り除くと、灯のかさ２０を固定できなくなってしまうことから、光反射カバー５０（点灯装置カバー）に開口部を形成することには阻害要因があるといえるし、そもそも、甲１発明Ａの光反射カバー５０は、側壁ないし斜壁を有しているとは認められるものの、開口部の形成の対象となる前面壁が存在しているとはいえないから、甲１発明Ａにおいて、上記相違点３に係る本件発明１の構成を想到することは、当業者が容易になし得たとはいえない。
（イ）
　したがって、他の相違点について検討するまでもなく、本件発明１及び本件発明１を引用する本件発明２は、甲１Ａ発明及び甲２Ａの１〜８Ａに記載の技術事項に基いて当業者が容易に発明をすることができたものであるとはいえない。
（３−２）
　特許異議申立人西村太一（以下、「特許異議申立人３」という。）の特許異議申立書（以下、「特許異議申立書３」という。）に記載した特許異議申立理由（特許法第２９条第２項）について
　特許異議申立人３は、特許異議申立書３に添付して、刊行物である甲第１〜１１号証（以下、「甲１Ｂ〜甲１１Ｂ」という。）を提出し、本件特許発明１及び２は、甲１Ｂに記載された発明及び甲２Ｂ〜甲１１Ｂに記載された周知技術に基いて、当業者が容易に発明をすることができたものである旨主張している。
ア　甲号証について
甲１Ｂ：特開２００９−９８９０号公報 
甲２Ｂ：特開平６−２９０６２８号公報 
甲３Ｂ：特開平８−３２９７０９号公報  
甲４Ｂ：特開２００４−１５８３９８号公報  
甲５Ｂ：特開２００２−２７００２６号公報  
甲６Ｂ：特開２０１０−１９２３０６号公報  
甲７Ｂ：登録実用新案第３１６２９７３号公報 
甲８Ｂ：特開２００８−１３９７０８号公報  
甲９Ｂ：特開２０１０−１９２３４７号公報  
甲１０Ｂ：登録実用新案第３０８８５７５号公報  
甲１１Ｂ：特開２００６−２２１９３９号公報 
　甲１Ｂ（特開２００９−９８９０号公報）の発明の詳細な説明及び図面（特に、段落【００２２】、【００２６】、【００３６】、【００３９】、【００４５】〜【００５３】、【００６２】、【００６９】〜【００７１】及び【００８１】並びに図１〜４及び７を参照。段落【００３９】、【００６２】及び【００６９】〜【００７１】の記載を参照すると、図２（ｂ）のものにおいて、発光モジュール１５をリング状に連結し、ＬＥＤ１１の配列として図７（ｃ）の配列を採用してもよいといえるから、ＬＥＤ１１が基板１１ａ上に複数の環状配列を形成して実装されている態様が記載されているといえる。）を参照して、本件発明１の記載に則ると、甲１Ｂには、次の発明（以下、「甲１Ｂ発明」という。）が記載されていると認められる。
〔甲１Ｂ発明〕
「器具取付面に設置された引掛シーリングに取り付けられるアダプタ２４を有する器具本体２１と；
　前記アダプタ２４の周囲に配設された点灯装置２５と；
　アダプタ２４に対応する開口部が形成され、前記点灯装置２５を覆うように前記器具本体２１に取付けられる反射体２２と；
　前記反射体２２の外側に配設された基板１１ａと；
　この基板１１ａ上に複数の環状配列を形成して前記基板１１ａに実装された複数のＬＥＤと；
　導光体１２から出射された白色の光が導入され断面略楕円形状をなす出射面１３ｂから平行光となって出射されるコリメータレンズ１３と、
　前記基板１１ａ及び前記複数のＬＥＤを含めた前記器具本体２１の前面側を覆うように前記器具本体２１に取付けられたグローブ２３と；
　を具備する照明器具。」
イ　対比
　本件発明１と甲１Ｂ発明とを対比すると、甲１Ｂ発明の「引掛シーリング」、「アダプタ２４」、「器具本体２１」、「点灯装置２５」、「反射体２２」、「基板１１ａ」、「ＬＥＤ」及び「グローブ２３」は、それぞれ、本件発明１の「配線器具」、「取付部」、「器具本体」、「点灯装置」、「点灯装置カバー」、「基板」、「発光素子」及び「カバー部材」に相当し、一致点及び相違点は、以下のとおりである。
＜一致点＞
「器具取付面に設置された配線器具に取り付けられる取付部を有する器具本体と；
　前記取付部の周囲に配設された点灯装置と；
　取付部に対応する開口部が形成され、前記点灯装置を覆うように前記本体に取付けられる点灯装置カバーと；
　前記点灯装置カバーの外側に配設された基板と；
　この基板上に複数の環状配列を形成して前記基板に実装された複数の発光素子と；
　を具備することを特徴とする照明器具。」
＜相違点１＞
　「取付部に対応する開口部が形成され、点灯装置を覆うように本体に取付けられる点灯装置カバー」が、本件発明１では、「前記器具本体から照射方向に向かって突出した前面壁および前記前面壁には取付部に対応する開口部が形成され」ているのに対して、甲１Ｂ発明では、そのように特定されていない点。
＜相違点２＞
　「点灯装置カバーの外側に配設された基板」が、本件発明１では、「実装面が前面側に向けられて前記点灯装置カバーの前記前面壁よりも器具取付面側であ」るのに対して、甲１Ｂ発明では、そのように特定されていない点。
＜相違点３＞
　本件発明１は、「前記発光素子が実装された環状配列に沿って連続する突条部を有し、前記基板の実装面を覆う拡散部材と；前記基板及び前記複数の発光素子を含めた前記器具本体の前面側を覆うように前記器具本体に取付けられた拡散性を有する乳白色のカバー部材と；を具備する」のに対して、甲１Ｂ発明は、「導光体１２から出射された白色の光が導入され断面略楕円形状をなす出射面１３ｂから平行光となって出射されるコリメータレンズ１３と；前記基板１１ａ及び前記複数のＬＥＤを含めた前記器具本体２１の前面側を覆うように前記器具本体２１に取付けられたグローブ２３と；を具備する」点。
ウ　判断
　以下、事案に鑑み、相違点３から検討する。
（ア）
　甲１Ｂには、「コリメータレンズ１３」に関して、「上記構成の照明装置１０を点灯すると、各ＬＥＤ１１が発光し、図２に示すように、各ＬＥＤから放射される光は導光体１２の入射面１２ａから導光体内に導入され、導光体内で青色ＬＥＤチップから放射される青色の光と黄色蛍光体から放射される黄色の光が混色されて白色の光となり出射面から出射される。出射された白色の光はコリメータレンズ１３の第一焦点ａから導入され、第一焦点ａを出た光が無収差の平行光となって断面略楕円形状をなす出射面１３ｂから上方に出射される。」（段落【００３９】）及び「上記に設置された照明器具２０を点灯すると、２台の照明装置１０のそれぞれのＬＥＤ１１が発光し、ＬＥＤから放射された光は各ＬＥＤ１１の発光中心ｘがコリメータレンズ１３の第一焦点ａより所定の寸法ｃだけ片寄っているので、光が拡散せずに必要とするグローブ２３側と反射体２２の傾斜部２２ａに向かって放射され、さらに反射体で反射した光はグローブ２３を内面側から照射し、部屋全体にわたり略均一な明るさで照明する。この際、２台の照明装置１０が、それぞれ器具本体２１の外縁部２６、２７に配設され、従来のように環形蛍光ランプが器具本体の中央部に存在しない。このため、ランプイメージがグローブの照射中心部に現れずに均斉度が向上する。」（段落【００５２】）と記載されているところ、当該記載から、甲１Ｂ発明の「コリメータレンズ１３」は、光を拡散させないように平行光を照射して、反射体２２及びグローブ２３と一体となって、略均一な明るさで照明し、ランプイメージがグローブの照射中心部に現れずに均斉度が向上するように機能すものであるといえるから、当該コリメータレンズ１３を、光を拡散させるように構成すれば、上記のように機能しなくなり、甲１Ｂ発明は意味をなさいなものとなってしまうと解されるから、当該コリメータレンズ１３を拡散部材とすることには、阻害要因が存在しているといえる。
　したがって、甲１Ｂ発明において、上記相違点３に係る本件発明１の構成（当該構成の少なくとも拡散部材）を想到することは、当業者が容易になし得たとはいえない。
（イ）
　また、上記相違点３に係る本願発明１の構成（すなわち、・・・拡散部材と、・・・拡散性を有する乳白色のカバー部材とを組み合わせたもの）は、甲１Ｂ〜甲１１Ｂのいずれにも記載されていない。
　さらに、上記相違点３に係る本願発明１の構成が備える技術事項Ａ及び技術事項Ｂが、甲２Ｂ〜甲１１Ｂの記載から、それぞれ周知技術であるといえるとしても（上記（１）イ＜相違点３について＞（イ）なども参照）、上記（ア）の阻害要因が存在するから、それら周知技術を甲１Ｂ発明に適用することで、甲１Ｂ発明において、上記相違点３に係る本件発明１の構成を想到することは、当業者が容易になし得たとはいえない。
（ウ）
　したがって、他の相違点について検討するまでもなく、本件発明１は、甲１Ｂ発明及び甲２Ｂ〜甲１１Ｂに記載の技術事項（周知技術）に基いて当業者が容易に発明をすることができたものであるとはいえない。
（エ）
　なお、特許異議申立人３は、平成２８年８月２４日付けの意見書に添付して、参考資料１〜２の２（以下、「参考資料１Ｂ〜２Ｂの２」という。）を、それぞれ提出しているところ、参考資料１Ｂ〜２Ｂの２のいずれにも、上記相違点３に係る本件発明１の構成は記載されていないし、仮に、参考資料１Ｂ〜２Ｂの２から、当該構成に関する技術事項Ａ及び技術事項Ｂがそれぞれ周知技術であるといえるとしても、上記（イ）のとおり、それらの周知技術の適用の際に、甲１Ｂ発明には、阻害要因があるから、本件発明１及び本件発明１を引用する本件発明２は、甲１Ｂ発明、甲２Ａの１〜８Ａに記載の技術事項及び周知技術に基いて当業者が容易に発明をすることができたものであるとはいえない。
（３−３）
　特許異議申立人１の特許異議申立書１に記載した特許異議申立理由（特許法第３６条第６項第２号）について
　本件発明１及び２において、「周囲配設」、「取付部」、及び、「取付部」と「点灯装置」の関連性が明確でない旨、特許異議申立人１は主張している。
　しかしながら、明細書の発明の詳細な説明の段落【００３１】、【００３４】〜【００３６】及び図面（特に図２及び４）等を参照すると、本件発明１の「取付部」及び「点灯装置」に関する発明特定事項は、その文意も含め、明確であるし、第２　２．（１）で述べたように、「周囲配設」は、「周囲に配設」と訂正された。
　したがって、本件発明１及び本件発明１を引用する本件発明２は、明確でないとはいえない。
　よって、本件発明１及び２は、特許法第３６条第６項第２号の要件を満たしていないとはいえない。
（３−４）
　特許異議申立人３の特許異議申立書３に記載した特許異議申立理由（特許法第３６条第４項第１号、同法同条第６項第１号及び第２号、同法１７条の２第３項、並びに、同法第４４条第１項）について
　発明の詳細な説明並びに本件発明１及び２に記載の「取付部」、「前面壁」、「突状部」及び「周囲配設」等は、当業者がその発明を実施できる程度に明確でなく、特許法第３６条第４項第１号及び同法同条第６項第２号の要件をみたしておらず、本件発明１及び２の「前記器具本体から照射方向に向かって突出した前面壁」、「前記点灯装置カバーの前記前面壁よりも器具取付面側前記点灯装置カバーの外側に配設された基板」及び「前記基板及び前記複数の発光素子を含めた・・・カバー部材」等は、発明の詳細な説明に記載したものでなく、願書に添付した明細書、特許請求の範囲又は図面に記載のない事項を包含するものであり、それらの記載から自明な事項であるともいえないから、特許法第３６条第６項第１号及び第２号、同法１７条の２第３項、並びに、同法第４４条第１項の要件をみたしていない旨、特許異議申立人３は主張している。
　しかしながら、明細書の発明の詳細な説明の段落【００１５】、【００１８】、【００２４】、【００３１】、【００３４】〜【００３６】及び図面（特に図２、４及び７）等を参照すると、本件発明１の「取付部」、「前面壁」及び「突状部」等に関する発明特定事項は、その文意も含め、明確である。
　また、明細書の発明の詳細な説明の段落【００１５】の記載は、全体を通して文意は充分理解できるし、第２　２．（１）で述べたように、「周囲配設」は、「周囲に配設」と訂正された。
　そして、「前記器具本体から照射方向に向かって突出した前面壁」、「前記点灯装置カバーの前記前面壁よりも器具取付面側前記点灯装置カバーの外側に配設された基板」及び「前記基板及び前記複数の発光素子を含めた・・・カバー部材」等は、願書に添付した明細書及び図面を参照すると、それらの記載から自明な事項であるといえる。
　したがって、本件の発明の詳細な説明又は図面は、実施可能要件を満たしていないとはいえないし、本件発明１及び本件発明１を引用する本件発明２は、明確でないとはいえない。
　また、本件発明１及び本件発明１を引用する本件発明２は、サポート要件を満たさないものではなく、本件は、新規事項を追加するものではなく、本件は、適法に分割されたものではないとはいえない。
　よって、本件発明１及び２は、特許法第３６条第６項第１号及び第２号の要件を満たしていないとはいえないし、本件は、特許法第３６条第４項第１号、同法１７条の２第３項、及び、同法第４４条第１項の要件を満たしていないとはいえない。
（３−５）
　以上から、上記（３−１）〜（３−４）の特許異議申立理由は、いずれも採用できない。
第４　むすび
　以上のとおりであるから、取消理由通知書に記載した取消理由及び特許異議申立書に記載した特許異議申立理由によっては、本件請求項１及び２に係る特許を取り消すことはできない。
　また、他に本件請求項１及び２に係る特許を取り消すべき理由を発見しない。
　よって、結論のとおり決定する。
【異議決定日】
平成２８年１１月１５日（２０１６．１１．１５）
【訂正の要旨】
審決（決定）の【理由】欄参照。
（５４）【発明の名称】
照明器具
【発明の詳細な説明】
　【技術分野】
　【０００１】
　本発明の実施形態は、光源としてＬＥＤ等の発光素子を用いた照明器具に関する。
　【背景技術】
　【０００２】
　一般住宅用の照明器具においては、主光源に環状の蛍光ランプを用い、この環状の蛍光ランプの下方側を覆うようにカバー部材（セード）を設けて、外観形状を丸形に構成するものが普及している。
　【０００３】
　一方、近時、ＬＥＤ等の発光素子の高出力化、高効率化及び普及化に伴い、光源として発光素子を用いて長寿命化が期待できる照明器具が開発されている。光源として発光素子を用いて、従来のように環状の蛍光ランプを用いた照明器具と同様な態様で照明器具を構成するには、例えば、天井面に設置された引掛けシーリングボディへの取付部の周囲に複数の発光素子を配置し、これら発光素子から出射される光を直下方向の所定の範囲に照射させる必要がある。
　【０００４】
　このように光源として複数の発光素子を取付部の周囲に配置した場合には、従来の環状の蛍光ランプを用いた場合と同様な態様で構成でき、また、長寿命化や薄型化が期待できる照明器具を実現することができる。
　【先行技術文献】
　【非特許文献】
　【０００５】
　【非特許文献１】シャープ／ＬＥＤシーリングライト［平成２３年１月６日検索］（ｈｔｔｐ：／／ｗｗｗ．ｓｈａｒｐ．ｃｏ．ｊｐ／ｃｏｒｐｏｒａｔｅ／ｎｅｗｓ／１００８１９−ａ−２．ｈｔｍｌ）
　【発明の概要】
　【発明が解決しようとする課題】
　【０００６】
　しかしながら、光源としてＬＥＤ等の発光素子を用いると、発光素子はその出射光の指向性が強く輝度が高いため、粒々感が目立ち、輝度が均一化されにくく、照射光の均斉度が低下するという問題が生じる。
　【０００７】
　本発明は、上記課題に鑑みなされたもので、複数の発光素子を取付部の周囲に配置したものにおいて、照射光の均斉度の向上を図ることが可能な照明器具を提供することを目的とする。
　【課題を解決するための手段】
　【０００８】
　本発明の実施形態による照明器具は、器具取付面に設置された配線器具に取り付けられる取付部を有する器具本体と；、前記取付部の周囲
に
拡散性を有する乳白色の
　【発明の効果】
　【０００９】
　本発明の実施形態によれば、照射光の均斉度の向上を図ることが可能な照明器具を提供することができる。
　【図面の簡単な説明】
　【００１０】
　【図１】本発明の実施形態に係る照明器具を示す斜視図である。
　【図２】同照明器具を示す分解斜視図である。
　【図３】同照明器具においてカバー部材及び点灯装置カバーを取外して下方から見て示す概略の平面図である。
　【図４】同照明器具を示す断面図である。
　【図５】図４中、Ａ部を示す拡大図である。
　【図６】同照明器具における１枚の基板を取り出して示す平面図である。
　【図７】同照明器具における光源部と拡散部材とを組み合わせた状態で一部拡大して示す断面図である。
　【発明を実施するための形態】
　【００１１】
　以下、本発明の実施形態について図１乃至図７を参照して説明する。各図においてリード線等による配線接続関係は省略して示している場合がある。なお、同一部分には同一符号を付し、重複した説明は省略する。
　【００１２】
　本実施形態の照明器具は、器具取付面に設置された配線器具としての引掛けシーリングボディに取付けられて使用される一般住宅用のものであり、基板に実装された複数の発光素子を有する光源部から放射される光によって室内の照明を行うものである。
　【００１３】
　図１乃至図４において、照明器具は、本体１と、光源部２と、拡散部材３と、点灯装置４と、点灯装置カバー５と、取付部６と、カバー部材７とを備えている。また、器具取付面としての天井面Ｃに設置された引掛けシーリングボディＣｂに電気的かつ機械的に接続されるアダプタＡを備えている。このような照明器具は、丸形の円形状の外観に形成され、前面側を光の照射面とし、背面側を天井面Ｃへの取付面としている。
　【００１４】
　図２乃至図５に示すように、本体１は、冷間圧延鋼板等の金属材料の平板から円形状に形成されたシャーシであり、略中央部に、後述する取付部６を配設するための円形状の開口１１が形成されている。また、光源部２が取付けられる内面側の平坦部１２の外周側には、背面側へ向かう段差部１３が形成されて樋状の凹部１４が形成されている。さらに、本体１の背面側には、弾性部材１５が設けられている。
　【００１５】
　光源部２は、図６の参照を加えて説明するように、基板２１と、この基板２１に実装された複数の発光素子２２とを備えている（図２においては発光素子２２の図示を省略している）。基板２１は、所定の幅寸法を有した円弧状の４枚の基板２１が繋ぎ合わされるように配設されて全体として略サークル状に形成されている。つまり、全体としル状に形成された基板２１は、４枚の分割された基板２１から構成されている。
　【００１６】
　このように分割された基板２１を用いることにより、基板２１の分割部で熱的収縮を吸収して基板２１の変形を抑制することができる。なお、複数に分割された基板２１を用いることが好ましいが、略サークル状に一体的に形成された一枚の基板を用いるようにしてもよい。
　【００１７】
　基板２１は、絶縁材であるガラスエポキシ樹脂（ＦＲ−４）の平板からなり、表面側には銅箔によって配線パターンが形成されている。また、配線パターンの上、つまり、基板２１の表面には反射層として作用する白色のレジスト層が施されている。なお、基板２１の材料は、絶縁材とする場合には、セラミックス材料又は合成樹脂材料を適用できる。さらに、金属製とする場合は、アルミニウム等の熱伝導性が良好で放熱性に優れたベース板の一面に絶縁層が積層された金属製のベース基板を適用できる。
　【００１８】
　発光素子２２は、ＬＥＤであり、表面実装型のＬＥＤパッケージである。このＬＥＤパッケージが複数個サークル状の基板２１の周方向に沿って、つまり、取付部６を中心とする略円周上に複数列、本実施形態では、内周側及び外周側の２列に亘って実装されている。また、ＬＥＤパケージには、発光色が昼白色のものと電球色のものとが用いられており、これらが交互に並べられていて、各列の隣接する発光素子２２は略等間隔を空けて配設されている。この昼白色と電球色のＬＥＤパッケージに流れる電流等を調整することにより調色が可能となっている。
　【００１９】
　なお、特定の基板２１（図３中、右側）には、常夜灯用の発光素子２２ａが実装されている。この発光素子２２ａには、サークル状に実装された主光源における電球色のものと同じＬＥＤパッケージが用いられている。これにより部材の共通化が図られている。
　【００２０】
　なお、発光素子２２は、必ずしも複数列に実装する必要はない。例えば、周方向に沿って１列に実装するようにしてもよい。所望する出力に応じて発光素子２２の列数や個数を適宜設定することができる。
　【００２１】
　ＬＥＤパッケージは、概略的にはセラミックスや合成樹脂で形成された本体に配設されたＬＥＤチップと、このＬＥＤチップを封止するエポキシ系樹脂やシリコーン樹脂等のモールド用の透光性樹脂とから構成されている。ＬＥＤチップは、青色光を発光する青色のＬＥＤチップである。透光性樹脂には、昼白色や電球色の光を出射できるようにするために蛍光体が混入されている。
　【００２２】
　なお、ＬＥＤは、ＬＥＤチップを直接基板２１に実装するようにしてもよく、また、砲弾型のＬＥＤを実装するようにしてもよく、実装方式や形式は、格別限定されるものではない。
　【００２３】
　拡散部材３は、レンズ部材であり、図７の参照を加えて説明するように、例えば、ポリカーボネートやアクリル樹脂等の絶縁性を有する透明合成樹脂からなり、強化絶縁性能を有している。そして、前記発光素子２２の配置に沿って略サークル状に一体的に形成されていて、発光素子２２を含めて基板２１の全面を覆うように配設されている。
　【００２４】
　また、レンズ部材は、図５及び図７に代表して示すように、略サークル状の内周側部分と外周側部分とに発光素子２２に対向して円周方向に２条の山形であって、断面形状が一定の突条部３１が連続して形成されている。この突条部３１の内側には、Ｕ字状の溝３２が円周方向に沿って連続して形成されている。したがって、Ｕ字状の溝３２は、複数の発光素子２２と対向して配置されるようになっており、複数の発光素子２２は、Ｕ字状の溝３２内に収められて覆われている状態となっている。
　【００２５】
　さらに、これら突条部３１からは幅方向に延出する平坦部３３が形成されており、これにより基板２１の全面が覆われるようになっている。
　【００２６】
　このように構成されたレンズ部材によれば、図５に示すように複数の発光素子２２から出射された光は、突条部３１によって、主として円周上の内周方向及び外周方向に拡散されて放射される。すなわち、発光素子２２から出射された光は、発光素子２２が配置されたところのサークル状の中心を原点とする半径方向へ主として拡散して放射されるようになる。
　【００２７】
　したがって、レンズ部材によって複数の発光素子２２から出射される光による照射光の均斉度を向上することが可能となる。さらに、各発光素子２２の輝度による粒々感を抑制することができる。この場合、拡散による配光角度を１２０度〜１６０度程度に設定するのが望ましい。
　【００２８】
　また、拡散部材３には、平坦部３３が形成されて基板２１の全面を覆うようになっているので、充電部が強化絶縁性能を有する拡散部材３によって覆われ保護される。
　【００２９】
　なお、拡散部材３は、略サークル状に一体的に形成されていなくてもよい。例えば、分割された基板２１に対応して、これらの基板２１ごとに分割して形成するようにしてもよい。この場合には、一つの基板２１に実装された複数の発光素子２２ごとに連続して拡散部材３によって覆われるようになる。
　【００３０】
　また、拡散部材３は、レンズ部材に限らず、拡散シート等を適用するようにしてもよい。
　【００３１】
　上記のように構成された光源部２は、図４及び図５に代表して示すように、基板２１が取付部６の周囲に位置して、発光素子２２の実装面が前面側、すなわち、下方の照射方向に向けられて配設されている。また、基板２１の裏面側が本体１の内面側の平坦部１２に密着するように面接触して取付けられている。具体的には、基板２１の前面側から拡散部材３が重ね合わされ、この拡散部材３を例えば、ねじＳ等の固定手段によって本体１に取付けることにより、基板２１は、本体１と拡散部材３との間挟み込まれて押圧固定されるようになっている。つまり、１本のねじＳによって基板２１と拡散部材３とが共締めされている。
　【００３２】
　したがって、基板２１は、本体１と熱的に結合され、基板２１からの熱が裏面側から本体１に伝導され放熱されるようになっている。なお、基板２１と本体１との面接触は、基板２１の全面が本体１に接触する場合に限らない。部分的な面接触であってもよい。
　【００３３】
　加えて、拡散部材３における平坦部３３は、基板２１の実装面側に密着するように面接触しているので、基板２１の実装面側から熱が拡散部材３に伝わり、拡散部材３を経由して放熱することが可能となる。つまり、基板２１の前面側からも放熱できるようになっている。
　【００３４】
　点灯装置４は、図２乃至図４に示すように、回路基板４１と、この回路基板４１に実装された制御用ＩＣ、トランス、コンデンサ等の回路部品４２とを備えている。回路基板４１は、取付部６の周囲を囲むように略円弧状に形成されていて、アダプタＡ側が電気的に接続されて、アダプタＡを介して商用交流電源に接続されている。したがって、点灯装置４は、この交流電源を受けて直流出力を生成し、リード線を介してその直流出力を発光素子２２に供給し、発光素子２２を点灯制御するようになっている。
　【００３５】
　このような点灯装置４は、取付部６と光源部２、すなわち、基板２１との間に配設されている。
　【００３６】
　点灯装置カバー５は、図２及び図４に示すように、冷間圧延鋼板等の金属材料によって略短円筒状に形成され、点灯装置４を覆うように本体１に取付けられている。側壁５１は、背面側に向かって拡開するように傾斜状をなしており、前面壁５２には、取付部６と対応するように開口部５３が形成されている。したがって、発光素子２２から出射される一部の光は、側壁５１によって前面側に反射され有効に利用されるようになる。また、この開口部５３に周縁には背面側へ凹となる円弧状のガイド凹部５４が形成されている。
　【００３７】
　取付部６は、略円筒状に形成されたアダプタガイドであり、このアダプタガイドの中央部には、アダプタＡが挿通し、係合する係合口６１が設けられている。このアダプタガイドは、本体１の中央部に形成された開口１１に対応して配設されている。アダプタガイドの外周部には、この外周部から突出するように基台が形成されていて、この基台には赤外線リモコン信号受信部や照度センサ等の電気的補助部品６２が配設されている。
　【００３８】
　なお、取付部６は、必ずしもアダプタガイド等と指称される部材である必要はない。例えば、本体１等に形成される開口であってもよく、要は、配線器具としての引掛けシーリングボディＣｂに対向し、アダプタＡが係合される部材や部分を意味している。
　【００３９】
　カバー部材７は、アクリル樹脂等の透光性を有し、乳白色を呈する拡散性を備えた材料から略円形状に形成されており、中央部には不透光性の円形状の化粧カバー７１が取付けられている。また、この化粧カバー７１には、前記電気的補助部品６２と対向するように略三角形状の透光性を有する受光窓７２が形成されている。さらに、カバー部材７の内面側の中央寄りには、内面方向に突出する突出ピン７３が形成されている。
　【００４０】
　そして、カバー部材７は、光源部２を含めた本体１の前面側を覆うように本体１の外周縁部に着脱可能に取付けられるようになっている。具体的には、カバー部材７を回動することによって、カバー部材７に設けられた図示しないカバー取付金具を本体１の外周縁部の凹部１４に配設されたカバー受金具７５に係合することにより取付けられる。
　【００４１】
　このようにカバー部材７が本体１に取付けられた状態においては、主として図４に示すように、カバー部材７の内面側は、点灯装置カバー５の前面壁５２に面接触するようになる。したがって、点灯装置４等から発生する熱を点灯装置カバー５へ伝導し、さらにカバー部材７へ伝導させて放熱を促進することが可能となる。
　【００４２】
　また、拡散部材３とカバー部材７との間の距離は、２０〜６０ｍｍ、好ましくは３０〜５０ｍｍに設定されている。これにより、照射光の均斉度が良好となり、基板２１の実装面側から拡散部材３に伝導された熱がカバー部材７を経由して効果的に放熱されるようになる。
　【００４３】
　ここで、カバー部材７は、回動させて本体１に取付けられるが、受光窓７２の位置を電気的補助部品６２と対向するように位置合わせをする必要がある。このため、本実施形態においては、詳細な説明は省略するが、カバー部材７側に形成された突出ピン７３と点灯装置カバー５に形成されたガイド凹部５４とによって位置規制手段が構成されている。この位置規制手段によって受光窓７２が電気的補助部品６２と対向して位置されるようになり、例えば、赤外線リモコン信号受信部が赤外線リモコン送信器からの制御信号を受信できるようになる。
　【００４４】
　アダプタＡは、天井面Ｃに設置された引掛けシーリングボディＣｂに、上面側に設けられた引掛刃によって電気的かつ機械的に接続されるもので略円筒状をなし、周壁の両側には一対の係止部Ａ１が、内蔵されたスプリングによって常時外周側へ突出するように設けられている。この係止部Ａ１は下面側に設けられたレバーを操作することにより没入するようになっている。また、このアダプタＡからは、前記点灯装置４へ接続する電源コードが導出されていて、点灯装置４とコネクタを介して接続されるようになっている（図３参照）。
　【００４５】
　次に、照明器具の天井面Ｃへの取付状態について図４を参照して説明する。まず、予め天井面Ｃに設置されている引掛けシーリングボディＣｂにアダプタＡが電気的かつ機械的に接続されている。この状態から取付部６としてのアダプタガイドの係合口６１をアダプタＡに合わせながら、アダプタＡの係止部Ａ１がアダプタガイドの係合口６１に確実に係合するまで器具本体を下方から手で押し上げて取付け操作を行う。そして、カバー部材７を本体１に取付ける。この取付完了状態が図４に示す状態であり、このとき、弾性部材１５が天井面Ｃと本体１の背面側との間に密着状態で介在され、照明器具は、天井面Ｃに固定状態となる。
　【００４６】
　また、照明器具を取外す場合には、カバー部材７を取外し、アダプタＡに設けられているレバーを操作してアダプタＡの係止部Ａ１の係合を解くことにより取外すことができる。
　【００４７】
　照明器具の天井面Ｃへの取付状態において、点灯装置４に電力が供給されると、基板２１を介して発光素子２２に通電され、各発光素子２２が点灯する。発光素子２２から出射された光は、複数の発光素子２２を連続して覆う拡散部材３によって半径方向へ拡散されるとともに、前面側へ放射される。前面側へ放射された光は、カバー部材７を透過して外方へ照射される。したがって、照射光の均斉度の向上を図ることができるとともに、各発光素子２２の輝度による粒々感を抑制することが可能となる。
　【００４８】
　また、半径方向の内周側へ向かう一部の光は、点灯装置カバー５における傾斜状の側壁５１によって前面側に反射され有効に利用されるようになる。
　【００４９】
　一方、発光素子２２から発生する熱は、基板２１の裏面側が本体１に面接触しているため、本体１に効果的に伝導され、広い面積で放熱されるようになる。また、基板２１の外周側近傍には、基板２１の外周に沿って段差部１３が形成されているため、この段差部１３によって放熱面積を増大させることができ、本体１外周部での放熱効果を高めることが可能となる。加えて、この段差部１３は、本体１の補強効果を奏することができるものとなっている。
　【００５０】
　また、点灯装置４は、取付部６と基板２１との間に配設されているため、点灯装置４は、基板２１から熱的影響を受けるのを軽減される。これは、基板２１の熱は、本体１の外周方向に向かって伝導し、放熱される傾向にあることに起因するものである。
　【００５１】
　さらに、カバー部材７は、点灯装置カバー５に面接触するようになっているので、点灯装置４から発生する熱を点灯装置カバー５へ伝導し、さらにカバー部材７へ伝導させて放熱をさせることができる。
　【００５２】
　加えて、拡散部材３における平坦部３３は、基板２１の実装面側に面接触しているので、基板２１の実装面側から拡散部材３を経由して前面側からも放熱することが可能となる。また、この場合、拡散部材３は、基板２１の全面を覆うようになっているので充電部が保護されるようになる。
　【００５３】
　以上のように本実施形態によれば、発光素子２２を連続して覆う拡散部材３を設けることによって照射光の均斉度の向上を図ることが可能な照明器具を提供することができる。
　【００５４】
　なお、本発明は、上記各実施形態の構成に限定されることなく、発明の要旨を逸脱しない範囲で種々の変形が可能である。例えば、発光素子は、ＬＥＤや有機ＥＬ等の固体発光素子が適用でき、この場合、発光素子の個数は特段限定されるものではない。
　【符号の説明】
　【００５５】
１・・・本体、２・・・光源部、３・・・拡散部材（レンズ部材）、４・・・点灯装置、５・・・点灯装置カバー、６・・・取付部（アダプタガイド）、７・・・カバー部材、１３・・・段差部、２１・・・基板、２２・・・発光素子（ＬＥＤ）、３１・・・突条部、３３・・・平坦部、Ａ・・・アダプタ、Ｃ・・・器具取付面（天井面）、Ｃｂ・・・配線器具（引掛けシーリングボディ）
（５７）【特許請求の範囲】
　【請求項１】
　器具取付面に設置された配線器具に取り付けられる取付部を有する器具本体と；
　前記取付部の周囲
に
　前記器具本体から照射方向に向かって突出した前面壁および前記前面壁には取付部に対応する開口部が形成され、前記点灯装置を覆うように前記本体に取付けられる点灯装置カバーと；
　実装面が前面側に向けられて前記点灯装置カバーの前記前面壁よりも器具取付面側であるとともに前記点灯装置カバーの外側に配設された基板と；
　この基板上に複数の環状配列を形成して前記基板に実装された複数の発光素子と；
　前記発光素子が実装された環状配列に沿って連続する突条部を有し、前記基板の実装面を覆う拡散部材と；
　前記基板及び前記複数の発光素子を含めた前記器具本体の前面側を覆うように前記器具本体に取付けられた
拡散性を有する乳白色の
　を具備することを特徴とする照明器具。
　【請求項２】
　前記拡散部材に対して所定の距離を有するように前記器具本体に着脱可能に取付けられる
前記